(57)【要約】【課題】健康管理機能を搭載したテレビジョン受信機において、コストを抑制しつつユーザーを識別する。【解決手段】有線インターフェイス１２６または無線インターフェイス１２７は、健康機器から、ユーザーの健康に関連する情報である健康情報と、当該ユーザーのプロフィール情報を受信する。当該健康機器は、健康機器１３０，１３１の一方または両方である。ユーザー識別部１４３は、当該プロフィール情報に基づいて、当該ユーザーを識別する。【選択図】図１
2015012356.tif 000002
【特許請求の範囲】
【請求項１】
ユーザーのプロフィールの情報であるプロフィール情報を有し、かつ、前記ユーザーの健康に関連する情報である健康情報を測定する健康機器と通信するテレビジョン受信機であって、
前記健康機器から、前記健康情報および前記プロフィール情報を受信する受信部と、
前記健康情報を記憶する健康情報記憶部と、
前記プロフィール情報に基づいて、前記ユーザーを識別するユーザー識別部と、を備える
テレビジョン受信機。
【請求項２】
前記受信部は、前記健康機器から複数の前記プロフィール情報を受信し、
前記複数のプロフィール情報のうちの２つのプロフィール情報は、それぞれ、ユーザーの第１身体情報および第２身体情報であり、
前記第１身体情報は、前記ユーザーを識別するために前記第２身体情報よりも有用な情報であり、
前記ユーザー識別部は、前記第１身体情報および前記第２身体情報の順で、前記第１身体情報および前記第２身体情報を使用して、前記ユーザーを識別する
請求項１に記載のテレビジョン受信機。
【請求項３】
前記第１身体情報は、前記ユーザーの年齢または生年月日であり、
前記第２身体情報は、前記ユーザーの身長である
請求項１または２に記載のテレビジョン受信機。
【請求項４】
前記テレビジョン受信機は、現在の日付を特定する機能を有し、
前記プロフィール情報は、前記ユーザーの生年月日であり、
前記ユーザー識別部は、さらに、前記日付および前記生年月日から、前記ユーザーのプロフィール情報として、前記ユーザーの年齢を算出し、
前記ユーザー識別部は、前記年齢に基づいて、前記ユーザーを識別する
請求項１〜３のいずれか１項に記載のテレビジョン受信機。
【請求項５】
前記テレビジョン受信機は、異なる前記プロフィール情報を有する複数種類の前記健康機器と通信し、
前記受信部は、各前記健康機器から、該健康機器が有する前記プロフィール情報を受信し、
前記ユーザー識別部は、各前記健康機器毎に、該健康機器から受信した前記プロフィール情報に基づいて、前記ユーザーを識別する
請求項１〜４のいずれか１項に記載のテレビジョン受信機。
【請求項６】
前記プロフィール情報は、前記健康機器に測定された前記健康情報を別の健康情報に変換するために、該健康機器により使用される
請求項１〜５のいずれか１項に記載のテレビジョン受信機。
【請求項７】
前記受信部は、さらに、前記健康機器を特定するための機器識別情報を受信し、
前記ユーザー識別部は、前記プロフィール情報および前記機器識別情報に基づいて、前記ユーザーを識別する
請求項１〜６のいずれか１項に記載のテレビジョン受信機。
【発明の詳細な説明】
【技術分野】
【０００１】
本発明は、健康機器から送信される健康情報を利用した処理を行うテレビジョン受信機に関する。
【背景技術】
【０００２】
近年の健康意識の向上により、活動量計、体組成計などの健康機器が家庭に普及してきた。当該活動量計は、歩数を測定（計測）する機能に加え、カロリーの計算機能などを有する。当該体組成計は、体重を測定する機能に加え、体脂肪率、内臓脂肪、筋肉量、骨量などを簡易的に測定する機能を有する。
【０００３】
これらの健康機器は、一般的に、小さなディスプレイしか有していない。そのため、視認性を向上するために、当該健康機器で測定した健康情報を、テレビジョン受信機、パーソナルコンピュータ等を利用して管理したり、表示したりすることがある。
【０００４】
テレビジョン受信機の本来の機能は、デジタルテレビ放送波等を受信して、映像をディスプレイで表示し、音声をスピーカーで出力する機能である。当該デジタルテレビ放送波とは、地上波または衛星を使用して放送される電波である。なお、テレビジョン受信機は、家庭内において最も普及しているディスプレイ装置である。そのため、テレビジョン受信機は、放送番組だけでなく様々な情報を表示する表示機器としても用いられる。
【０００５】
一般に、健康機器で取得した健康情報を管理するには、ユーザーを識別することが必要となる。また、健康機器には、１人１台で使用することを前提とした活動量計だけでなく、家族全員で使用することを前提とした体組成計などがある。
【０００６】
これらの健康機器で取得した健康情報を、ユーザーを識別しながら管理する場合、以下の手法が最もよく用いられる。当該手法では、ユーザー毎に、予めユーザーＩＤを設定し、健康情報管理装置に健康情報を転送する前に、ユーザーＩＤを指定する方法である。
【０００７】
しかし、ユーザーＩＤを指定する方法は、高齢者、コンピュータなどの機器操作に不慣れなユーザー等にとっては、わかりにくい。そこで、特許文献１には、容易に健康情報を管理する技術（以下、関連技術Ａともいう）が開示されている。関連技術Ａでは、通信カードを使用して健康情報を管理する。具体的には、一人のユーザーの健康情報を１枚の通信カードに記憶させる。そして、ユーザー毎の通信カードを使用して、健康情報管理装置（サーバ装置）に健康情報（生体情報）を転送する。
【０００８】
また、特許文献２では、ユーザーＩＤを指定することなく、ユーザー毎に健康情報を管理する技術（以下、関連技術Ｂともいう）が開示されている。具体的には、関連技術Ｂでは、まず、ユーザーのバイオメトリクス情報を読み取る。バイオメトリクス情報は、指紋、掌紋、虹彩、声紋等である。そして、関連技術Ｂでは、ユーザーを識別してから、ユーザーの健康情報を測定する。その後、関連技術Ｂでは、バイオメトリクス情報を利用して、測定された健康情報を暗号化する。これにより、ユーザー毎に健康情報を安全に管理する。
【先行技術文献】
【特許文献】
【０００９】
【特許文献１】特開２００９−０９５５７０号公報（図１）
【特許文献２】特開２００７−２２９１１６号公報（図１）
【発明の概要】
【発明が解決しようとする課題】
【００１０】
しかしながら、関連技術Ａ，Ｂでは、以下のような問題点がある。具体的には、関連技術Ａでは、健康機器とは別に、通信カードおよび当該通信カードの読み取り装置等が別途必要となる。また、関連技術Ｂでは、バイオメトリクス情報を読み取るための機器または機能が別途必要である。
【００１１】
そのため、関連技術Ａ，Ｂでは、健康情報を管理するためのコストが大きいという問題がある。なお、健康情報を管理するためには、ユーザーを識別する必要がある。すなわち、関連技術Ａ，Ｂでは、ユーザーの識別のための特別な構成を別途設ける必要があり、健康情報を管理するために、ユーザーを識別するためのコストが大きいという問題がある。
【００１２】
本発明は、このような問題を解決するためになされたものであり、コストを抑制しつつユーザーを識別することが可能なテレビジョン受信機を提供することを目的とする。
【課題を解決するための手段】
【００１３】
上記目的を達成するために、本発明の一態様に係るテレビジョン受信機は、ユーザーのプロフィールの情報であるプロフィール情報を有し、かつ、該ユーザーの健康に関連する情報である健康情報を測定する健康機器と通信する。前記テレビジョン受信機は、前記健康機器から、前記健康情報および前記プロフィール情報を受信する受信部と、前記健康情報を記憶する健康情報記憶部と、前記プロフィール情報に基づいて、前記ユーザーを識別するユーザー識別部と、を備える。
【発明の効果】
【００１４】
本発明によれば、受信部は、健康機器から、前記健康情報および前記プロフィール情報を受信する。ユーザー識別部は、前記プロフィール情報に基づいて、前記ユーザーを識別する。すなわち、本発明では、ユーザーの識別のための特別な構成を、従来のように別途設けることなく、健康機器から受信したプロフィール情報に基づいて、ユーザーを識別する。これにより、コストを抑制しつつユーザーを識別することができる。
【図面の簡単な説明】
【００１５】
【図１】本発明の実施の形態１に係るテレビジョン受信機と健康機器とを示す概略ブロック図である。
【図２】本発明の実施の形態１に係るテレビジョン受信機および健康機器の外観を簡易的に示す図である。
【図３】本発明の実施の形態１に係るテレビジョン受信機の表示部が表示する健康管理画像の一例を示す。
【図４】健康情報管理テーブルの一例を模式的に示す図である。
【図５】ユーザー識別処理のフローチャートを示す。
【図６】３人のユーザーから構成される家族において、テレビジョン受信機で健康情報を管理する構成を説明するための図である。
【図７】ユーザー識別処理により変化した健康情報管理テーブルの状態を示す図である。
【発明を実施するための形態】
【００１６】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１７】
＜実施の形態１＞
（装置構成）
図１は、本発明の実施の形態１に係るテレビジョン受信機１００と健康機器１３０，１３１とを示す概略ブロック図である。なお、図１では、説明のために、テレビジョン受信機１００に含まれない操作指示送信部２００も示している。操作指示送信部２００は、ユーザーにより操作される装置である。操作指示送信部２００は、例えば、リモコン、赤外線送信機等である。
【００１８】
図２は、本発明の実施の形態１に係るテレビジョン受信機１００および健康機器１３０，１３１の外観を簡易的に示す図である。
【００１９】
なお、本明細書において、番組とは、映像で表現される映像コンテンツであるとする。当該番組は、例えば、デジタル放送の規格に従った番組である。
【００２０】
図１を参照して、テレビジョン受信機１００は、アンテナ１０１と、チューナ部１０２と、ＴＳ（Transport Stream）デコーダ１０４と、ＡＶ（Audio Video）デコーダ１０６と、グラフィックス重畳部１０９と、効果音重畳部１１０と、ＡＶ制御部１１３と、表示部１１４と、音声出力部１１５と、マイコン１２０と、ＲＯＭ（Read Only Memory）１２１と、ＲＡＭ（Random Access Memory）１２２と、バス１２３と、健康情報記憶部１２８と、有線インターフェイス１２６と、無線インターフェイス１２７と、操作指示受信部１２５とを備える。
【００２１】
アンテナ１０１は、放送波としてのＲＦ（Radio Frequency）信号を受信する。ＲＦ信号は、複数のチャンネルの番組を示すＴＳを含む。すなわち、ＲＦ信号は、映像（映像コンテンツ）である番組を含む。アンテナ１０１は、チューナ部１０２に接続される。
【００２２】
バス１２３には、チューナ部１０２、ＴＳデコーダ１０４、ＡＶデコーダ１０６、グラフィックス重畳部１０９、効果音重畳部１１０、ＡＶ制御部１１３およびマイコン１２０が接続される。チューナ部１０２、ＴＳデコーダ１０４、ＡＶデコーダ１０６、グラフィックス重畳部１０９、効果音重畳部１１０およびＡＶ制御部１１３は、バス１２３を介して、マイコン１２０により制御可能に構成されている。
【００２３】
チューナ部１０２は、アンテナ１０１から、番組を含むＲＦ信号を受信する。そして、チューナ部１０２は、ＲＦ信号に対し、任意の放送電波周波数に対する同調処理、復調処理等を行うことにより、当該ＲＦ信号からＴＳ（Transport Stream）を抽出する。そして、チューナ部１０２は、抽出したＴＳを、ＴＳデコーダ１０４へ送信する。当該ＴＳは、受信に必要な情報を示すパーシャルＴＳを含む。パーシャルＴＳは、特定のチャンネルの番組を含む。
【００２４】
ＴＳデコーダ１０４は、受信したＴＳからパーシャルＴＳを抽出し、当該パーシャルＴＳを、ＡＶデコーダ１０６へ送信する。
【００２５】
ＡＶデコーダ１０６は、受信したパーシャルＴＳをデコードすることにより、映像信号ＳＧＶおよび音声信号ＳＧＡを得る。そして、ＡＶデコーダ１０６は、映像信号ＳＧＶをグラフィックス重畳部１０９へ送信する。また、ＡＶデコーダ１０６は、音声信号ＳＧＡを効果音重畳部１１０へ送信する。
【００２６】
グラフィックス重畳部１０９は、必要に応じて、映像信号ＳＧＶが示す映像に、例えば、グラフィックス画像を重畳（オーバーレイ）する。そして、グラフィックス重畳部１０９は、重畳された映像を示す映像信号を、ＡＶ制御部１１３へ送信する。なお、グラフィックス重畳部１０９は、映像信号ＳＧＶを、そのまま、ＡＶ制御部１１３へ送信する場合もある。
【００２７】
効果音重畳部１１０は、必要に応じて、音声信号ＳＧＡが示す音声に、所定の効果音を重畳し、重畳された音声を示す音声信号を、ＡＶ制御部１１３へ送信する。なお、効果音重畳部１１０は、音声信号ＳＧＡを、そのまま、ＡＶ制御部１１３へ送信する場合もある。
【００２８】
表示部１１４は、番組（映像）を表示する機能を有する。表示部１１４は、例えば、液晶パネルである。図２に示されるように、表示部１１４は、映像を表示するための画面１１４ａを有する。音声出力部１１５は、スピーカーである。
【００２９】
ＡＶ制御部１１３は、受信した映像信号に基づく映像を表示部１１４に表示させる制御と、受信した音声信号に基づく音声を音声出力部１１５から出力させる制御とを行う。
【００３０】
バス１２３には、さらに、ＲＯＭ１２１、ＲＡＭ１２２、健康情報記憶部１２８、有線インターフェイス１２６、無線インターフェイス１２７および操作指示受信部１２５が接続される。ＲＯＭ１２１、ＲＡＭ１２２、健康情報記憶部１２８、有線インターフェイス１２６、無線インターフェイス１２７および操作指示受信部１２５は、バス１２３を介して、マイコン１２０により制御可能に構成されている。
【００３１】
ＲＯＭ１２１は、プログラムを格納する。
【００３２】
マイコン１２０は、ＲＯＭ１２１に格納されたプログラムに従って各種処理を行う。マイコン１２０は、各種処理を行う際に、ＲＡＭ１２２をワーク領域として使用する。マイコン１２０は、ユーザー識別部１４３を含む。ユーザー識別部１４３は、詳細は後述するが、ユーザーを識別する処理を行う。ユーザー識別部１４３は、ＲＯＭ１２１に格納されたプログラムに従ってマイコン１２０によって実行されるソフトウェア（モジュール）である。
【００３３】
有線インターフェイス１２６は、有線により外部の装置と通信する機能を有する。有線インターフェイス１２６は、例えば、ＵＳＢ（Universal Serial Bus）インターフェイスである。無線インターフェイス１２７は、詳細は後述するが、無線により外部の装置と通信する機能を有する。
【００３４】
健康情報記憶部１２８は、詳細は後述するが、情報等を記憶するメモリである。健康情報記憶部１２８には、後述の健康情報管理テーブルが記憶される。当該健康情報管理テーブルは、ユーザー毎のプロフィール情報および健康情報を記憶するためのテーブルである。
【００３５】
操作指示送信部２００は、前述したように、例えば、リモコン、赤外線送信機等である。操作指示送信部２００には、図示しない複数のキーが設けられる。操作指示送信部２００に設けられるキーは、例えば、電源キー、数字キー等である。操作指示送信部２００に設けられた各キーには、異なるキーコードが割当てられる。例えば、電源キーのキーコードは、テレビジョン受信機１００の電源をオンにするためのキーコードである。
【００３６】
操作指示送信部２００に設けられた各キーのいずれかをユーザーが押下した場合、操作指示送信部２００に含まれる赤外線送信部（図示せず）は、キーコードを、操作指示受信部１２５へ送信する。当該キーコードは、押下されたキーを特定するためのコードである。すなわち、操作指示送信部２００は、ユーザーによる操作により、無線通信を使用して、操作指示としてのキーコードを操作指示受信部１２５へ送信する。すなわち、キーコードは、ユーザーによる指示（以下、操作指示ともいう）である。
【００３７】
操作指示受信部１２５は、操作指示送信部２００から送信されるキーコード（操作指示）を受信し、当該キーコードを、バス１２３を介して、マイコン１２０へ送信する。
【００３８】
（装置の動作）
次に、テレビジョン受信機１００の動作について説明する。一例として、番組視聴時におけるテレビジョン受信機１００の動作について説明する。
【００３９】
（番組視聴時の動作）
テレビジョン受信機１００を使用して、例えば、デジタル放送の番組の視聴が開始される場合について説明する。まず、ユーザーは、操作指示送信部２００の電源キーを押下する。これにより、操作指示送信部２００は、電源キーに割当てられたキーコードを、テレビジョン受信機１００へ送信する。操作指示受信部１２５は、操作指示送信部２００から送信されたキーコードを受信すると、当該キーコードを、マイコン１２０へ送信する。
【００４０】
マイコン１２０は、受信したキーコードが、電源キーのキーコードであることを認識した場合、テレビジョン受信機１００内に設けられた電源回路（図示せず）を起動し、夫々の回路に電源を供給するための処理を行う。
【００４１】
マイコン１２０は、チューナ部１０２が、任意のチャンネル周波数に同調し、復調処理を行うように、チューナ部１０２を制御する。任意のチャンネル周波数とは、例えば、前回の視聴の最後に選択されていたチャンネルの周波数である。
【００４２】
復調処理が完了すると、マイコン１２０は、ＴＳデコーダ１０４が処理対象のＴＳから、ＰＳＩ（Program Specific Information）を抽出して解析する。ＰＳＩとは、番組を特定するための情報である。
【００４３】
そして、マイコン１２０は、ＴＳデコーダ１０４が、ＰＳＩにより特定された番組の映像信号および音声信号を示すデータパケットをフィルタリングして、パーシャルＴＳを生成するよう、ＴＳデコーダ１０４を制御する。そして、ＴＳデコーダ１０４４は、マイコン１２０の制御に従い、生成したパーシャルＴＳをＡＶデコーダ１０６へ送信する。
【００４４】
次に、マイコン１２０は、ＡＶデコーダ１０６が、パーシャルＴＳから映像信号ＳＧＶおよび音声信号ＳＧＡを生成するように、ＡＶデコーダ１０６を制御する。ここで、パーシャルＴＳには、デジタル放送の映像信号および音声信号が含まれる。
【００４５】
デジタル放送の映像音声は、例えば、ＭＰＥＧ（Moving Pictures Experts Group）２方式により圧縮されている。また、デジタル放送の音声信号は、ＡＡＣ（Advanced Audio Coding）方式により圧縮されている。そのため、ＡＶデコーダ１０６は、該ＡＶデコーダ１０６に内蔵されたＭＰＥＧ２デコーダおよびＡＡＣデコーダを使用して、パーシャルＴＳに含まれる映像信号および音声信号を、非圧縮の映像信号および音声信号に復号する。すなわち、ＡＶデコーダ１０６は、パーシャルＴＳに含まれる映像信号および音声信号をデコードすることにより、映像信号ＳＧＶおよび音声信号ＳＧＡを得る。
【００４６】
そして、ＡＶデコーダ１０６は、マイコン１２０の制御に従い、映像信号ＳＧＶを、グラフィックス重畳部１０９へ送信する。また、ＡＶデコーダ１０６は、音声信号ＳＧＡを効果音重畳部１１０へ送信する。
【００４７】
次に、マイコン１２０は、グラフィックス重畳部１０９が、映像信号ＳＧＶが示す映像に、グラフィックス画像を重畳するよう、グラフィックス重畳部１０９を制御する。なお、テレビジョン受信機１００の起動時において、重畳されるグラフィックス画像は、例えば、ＴＳに含まれるＳＩ（Service Information）情報から取得した局名情報、番組名などを示す画像である。グラフィックス重畳部１０９は、マイコン１２０の制御に従い、重畳された映像を示す映像信号を、ＡＶ制御部１１３へ送信する。
【００４８】
また、マイコン１２０は、効果音重畳部１１０が、音声信号ＳＧＡが示す音声に所定の効果音を重畳するよう、効果音重畳部１１０を制御する。なお、テレビジョン受信機１００の起動時において、重畳される効果音は、例えば、ユーザーに起動を通知するための音声、ビープ音などである。効果音重畳部１１０は、マイコン１２０の制御に従い、重畳された音声を示す音声信号を、ＡＶ制御部１１３へ送信する。
【００４９】
また、マイコン１２０は、ＡＶ制御部１１３が、受信した映像信号に基づく映像を表示部１１４が表示するための映像駆動信号を生成するように、ＡＶ制御部１１３を制御する。ＡＶ制御部１１３は、マイコン１２０の制御に従い、映像駆動信号を、表示部１１４へ送信する。表示部１１４は、映像駆動信号に基づく映像（番組）を表示する。
【００５０】
また、マイコン１２０は、ＡＶ制御部１１３が、受信した音声信号に基づく音声を、音声出力部１１５が出力するための音声駆動信号を生成するように、ＡＶ制御部１１３を制御する。ＡＶ制御部１１３は、マイコン１２０の制御に従い、音声駆動信号を、音声出力部１１５へ送信する。音声出力部１１５は、音声駆動信号に基づく音声を出力する。
【００５１】
以上により、テレビジョン受信機１００は、ユーザーに対し、現在放送されている番組の映像および音声を提示する。
【００５２】
ここで、ユーザーが、テレビジョン受信機１００が表示している番組を、任意のチャンネルの番組に変更することを望むとする。この場合、ユーザーは、操作指示送信部２００の所定キー（例えば、数字キー）を押下する。これにより、数字キーのキーコードが操作指示受信部１２５を経由してマイコン１２０に送信される。マイコン１２０は、受信したキーコードが数字キーのキーコードである事を認識する。そして、マイコン１２０は、ユーザーが指示したチャンネル周波数に同調させ、復調処理を開始するように、チューナ部１０２を制御する。復調処理以降の処理は、上述した視聴開始時における処理と同様である。
【００５３】
（健康情報受信）
次に、テレビジョン受信機１００を使用した、健康情報の受信および記録について説明する。ここで、健康情報とは、ユーザーの健康に関連する情報である。健康情報は、例えば、ユーザーの活動量、ユーザーの体組成等である。実施の形態１に係るテレビジョン受信機１００は、デジタル放送などを受信して、番組を表示部１１４で表示したり、音声出力部１１５から当該番組の音声を出力するだけでなく、健康情報を管理する機能を有する。
【００５４】
図１において、健康機器１３０，１３１は、テレビジョン受信機１００の外部に設けられている。健康機器１３０は、ユーザーが身につけることが可能な小型の機器である。健康機器１３０は、健康情報として、ユーザーの活動量を測定する機能を有する活動量計である。ユーザーの活動量とは、ユーザーの歩数、ユーザーの消費カロリー等である。すなわち、健康情報は、ユーザーの歩数、消費カロリー等である。
【００５５】
具体的には、健康機器１３０は、小型の角速度センサ（図示せず）などを内蔵している。健康機器１３０は、当該健康機器１３０をユーザーが身につけておくことで、角速度センサを利用して、ユーザーの歩数を測定する。
【００５６】
健康機器１３０は、さらに、メモリ１４０を含む。メモリ１４０には、プロフィール情報群Ｐ１が予め記憶されている。すなわち、健康機器１３０には、プロフィール情報群Ｐ１が予め設定されている。また、メモリ１４０には、一時的に、健康機器１３０が測定した歩数が記憶される。すなわち、メモリ１４０には、健康情報としての歩数が記憶される。
【００５７】
プロフィール情報群Ｐ１は、複数のプロフィール情報から構成される。すなわち、メモリ１４０を含む健康機器１３０は、プロフィール情報を有する。当該プロフィール情報は、ユーザーのプロフィールの情報である。プロフィール情報は、例えば、ユーザーの名前、ユーザーの身体情報である。当該身体情報は、ユーザーの身体の状態である。当該身体情報は、例えば、年齢、性別、身長、体重などである。
【００５８】
健康機器１３０は、さらに、当該健康機器１３０が測定した歩数から、プロフィール情報群Ｐ１が示す年齢、性別、身長、体重等のプロフィール情報に基づいて、ユーザーの消費カロリーを算出する機能を有する。すなわち、健康機器１３０は、年齢、性別、身長、体重等のプロフィール情報に基づいて、ユーザーの消費カロリーを算出する。
【００５９】
前述したように、消費カロリーは、健康情報である。すなわち、プロフィール情報は、健康機器１３０に測定された歩数から、消費カロリーを算出するために使用される。つまり、ユーザーのプロフィール情報は、健康機器１３０に測定された健康情報としての歩数を、別の健康情報である消費カロリーに変換するために、健康機器１３０により使用される。
【００６０】
また、健康機器１３０は、テレビジョン受信機１００と通信する機能を有する。具体的には、健康機器１３０は、有線インターフェイス１２６と有線により通信する機能を有する。健康機器１３０には、当該健康機器１３０を、有線インターフェイス１２６に接続するためのＵＳＢ端子（図示せず）が設けられる。
【００６１】
健康機器１３０は、有線インターフェイス１２６に接続された場合、メモリ１４０に記憶されている健康情報（歩数）およびプロフィール情報群Ｐ１を、有線インターフェイス１２６へ送信する。これにより、テレビジョン受信機１００の有線インターフェイス１２６は、健康情報（歩数）およびプロフィール情報群Ｐ１を受信する。すなわち、有線インターフェイス１２６は、健康機器１３０から、健康情報およびプロフィール情報群Ｐ１を受信する受信部である。
【００６２】
そして、マイコン１２０は、受信した健康情報を、健康情報記憶部１２８に記憶させる。
【００６３】
健康機器１３１は、健康情報として、ユーザーの体組成を測定する機能を有する体組成計である。体組成とは、体重、体脂肪率、内臓脂肪、筋肉量、骨量などである。具体的には、健康機器１３１は、人間（ユーザー）の体内のインピーダンスを測定可能な装置などを内蔵する。
【００６４】
健康機器１３１は、さらに、メモリ１４１を含む。メモリ１４１には、プロフィール情報群Ｐ２が予め記憶されている。すなわち、健康機器１３１には、プロフィール情報群Ｐ２が予め設定されている。プロフィール情報群Ｐ２は、プロフィール情報群Ｐ１と同様に、複数のプロフィール情報から構成される。すなわち、メモリ１４１を含む健康機器１３１は、プロフィール情報を有する。
【００６５】
なお、プロフィール情報群Ｐ２と、プロフィール情報群Ｐ１とは必ずしも一致しない。例えば、仮に、健康機器１３０のメモリ１４０は、性別、年齢、身長および体重から構成されるプロフィール情報群Ｐ１を記憶しているとする。この場合、健康機器１３１のメモリ１４１は、プロフィール情報群Ｐ１の複数のプロフィール情報と異なる複数のプロフィール情報から構成されるプロフィール情報群Ｐ２を記憶している。当該プロフィール情報群Ｐ２を構成する複数のプロフィール情報は、例えば、名前、性別、年齢および身長である。すなわち、健康機器１３０，１３１という複数種類の健康機器は、異なるプロフィール情報を有する。
【００６６】
また、メモリ１４１には、一時的に、健康機器１３１が測定した体重が記憶される。すなわち、メモリ１４１には、健康情報としての体重が記憶される。
【００６７】
プロフィール情報群Ｐ２は、プロフィール情報群Ｐ１と同様、複数のプロフィール情報から構成される。すなわち、メモリ１４１を含む健康機器１３１は、プロフィール情報を有する。プロフィール情報群Ｐ２を構成する各プロフィール情報は、例えば、ユーザーの名前、ユーザーの身体情報である。当該身体情報は、例えば、年齢、性別、身長などである。
【００６８】
また、健康機器１３１は、ユーザー毎のプロフィール情報群Ｐ２を設定可能に構成される。具体的には、健康機器１３１は、複数のユーザーにそれぞれ対応する複数のプロフィール情報群Ｐ２を記憶可能に構成される。具体的には、メモリ１４１には、複数のプロフィール情報群Ｐ２を記憶可能である。
【００６９】
健康機器１３１は、さらに、当該健康機器１３１が測定した体重から、予め設定されたプロフィール情報群Ｐ２に含まれる年齢、性別、身長等に基づいて、ユーザーの体脂肪率、内臓脂肪、筋肉量、骨量などを測定する機能を有する。
【００７０】
また、健康機器１３１は、テレビジョン受信機１００と通信する機能を有する。健康機器１３１は、無線規格に従った無線通信を行う機能を有する。当該無線規格は、例えば、Ｂｌｕｅｔｏｏｔｈ（登録商標）等の規格である。健康機器１３１は、無線通信を行うための無線インターフェイス（図示せず）を有する。
【００７１】
健康機器１３１は、無線通信を行って、無線インターフェイス１２７と通信する。例えば、健康機器１３１は、無線通信を行って、メモリ１４１に記憶されている健康情報（例えば、体重）およびプロフィール情報群Ｐ２を、無線インターフェイス１２７へ送信する。これにより、テレビジョン受信機１００は、健康情報（例えば、体重）およびプロフィール情報群Ｐ２を受信する。マイコン１２０は、受信した健康情報を、健康情報記憶部１２８に記憶させる。
【００７２】
前述の通り、健康機器１３０が測定した歩数などの健康情報を、テレビジョン受信機１００へ送信（転送）するためには、健康情報が一次的に記憶された健康機器１３０のＵＳＢ端子を、有線インターフェイス１２６に接続する。
【００７３】
再び、図２を参照して、テレビジョン受信機１００の側面には、さらに、健康機器１３０を接続するための接続端子（図示せず）が設けられる。当該接続端子は、例えば、ＵＳＢ端子である。
【００７４】
次に、健康機器１３０をテレビジョン受信機１００に接続した場合の処理について説明する。テレビジョン受信機１００の接続端子に健康機器１３０が接続された場合、有線インターフェイス１２６は当該接続を検知し、検知した旨を、マイコン１２０へ伝達する。
【００７５】
この場合、マイコン１２０は、有線インターフェイス１２６を制御して、健康機器１３０のメモリ１４０に記憶されている健康情報およびプロフィール情報群Ｐ１を取得する。そして、マイコン１２０は、取得した健康情報を、健康情報記憶部１２８に記憶させる。このとき、マイコン１２０のユーザー識別部１４３は、プロフィール情報群Ｐ１に対応するユーザーを特定し、当該ユーザーを識別可能な状態で、取得した健康情報を、健康情報記憶部１２８に記憶させる。これにより、健康情報記憶部１２８は、健康情報を記憶する。
【００７６】
次に、健康機器１３１が、健康情報（例えば、体重）およびプロフィール情報群Ｐ２を、テレビジョン受信機１００へ送信するための具体的な処理について説明する。
【００７７】
前述の通り、健康機器１３１で測定された体重などの健康情報を、テレビジョン受信機１００へ送信するためには、当該健康情報が一次的に記憶された健康機器１３１の無線インターフェイスから、テレビジョン受信機１００の無線インターフェイス１２７に対して、体重などの健康情報およびプロフィール情報群Ｐ２を示す無線信号が送信される。
【００７８】
図２において、テレビジョン受信機１００の前面には、例えば、無線アンテナ（図示せず）が設けられる。無線インターフェイス１２７は、当該無線アンテナを介して、健康機器１３１から送信される無線信号を受信する。すなわち、無線インターフェイス１２７は、健康機器１３１から、無線信号が示す健康情報およびプロフィール情報群Ｐ２を受信する受信部である。
【００７９】
無線インターフェイス１２７は、無線信号の受信を検知した場合、検知した旨を、バス１２３を介して、マイコン１２０へ伝達する。この場合、マイコン１２０は、無線インターフェイス１２７を制御して、当該無線信号を解析し、無線信号に含まれた健康情報およびプロフィール情報群Ｐ２を取得する。そして、マイコン１２０は、取得した健康情報を、健康情報記憶部１２８に記憶させる。このとき、マイコン１２０のユーザー識別部１４３は、プロフィール情報群Ｐ２に対応するユーザーを特定し、当該ユーザーを識別可能な状態で、取得した健康情報を、健康情報記憶部１２８に記憶させる。
【００８０】
以下においては、プロフィール情報群Ｐ１およびプロフィール情報群Ｐ２の各々を、総括的に、プロフィール情報群Ｐともいう。
【００８１】
図２に示すように、テレビジョン受信機１００は、健康機器１３０または健康機器１３１から、健康情報、プロフィール情報群Ｐを取得した場合、画面１１４ａに健康情報取得メッセージ２０２を表示してもよい。また、テレビジョン受信機１００は、健康情報取得効果音２０３を、音声出力部１１５から出力するように構成してもよい。健康情報取得効果音２０３は、例えば、「データ取得が完了しました」という音声である。
【００８２】
次に、健康情報を表示した健康管理画像について説明する。図３は、本発明の実施の形態１に係るテレビジョン受信機１００の表示部１１４が表示する健康管理画像の一例を示す。図３（ａ）は、健康管理画像Ｇ１１の一例を示す。健康管理画像Ｇ１１は、健康機器１３１により測定され、健康情報記憶部１２８に記憶された健康情報を利用して、体重および体脂肪率の推移を示している。
【００８３】
図３（ｂ）は、健康管理画像Ｇ１０の一例を示す。健康管理画像Ｇ１０は、健康機器１３０により測定され、健康情報記憶部１２８に記憶された健康情報を利用して、歩数および消費カロリーの推移を示している。
【００８４】
健康管理画像Ｇ１０，Ｇ１１の各々は、例えば、操作指示送信部２００に設けられた所定キーをユーザーが操作することにより、テレビジョン受信機１００の表示部１１４が表示するように構成される。なお、外部の健康機器から、どのような情報を取得して、どのように表示するかは、健康管理画像Ｇ１０，Ｇ１１の形態に限定されない。
【００８５】
（ユーザー識別）
次に、本実施の形態に係るテレビジョン受信機１００が行うユーザーを識別する処理（以下、ユーザー識別処理ともいう）について説明する。ユーザー識別処理は、主に、ユーザー識別部１４３により行われる。前述したように、ユーザー識別部１４３は、マイコン１２０によって実行されるソフトウェア（モジュール）である。そのため、ユーザー識別処理を行うために、新たなハードウェアなどの追加は必要ない。
【００８６】
前述したように、健康情報記憶部１２８には、健康情報管理テーブルが記憶される。当該健康情報管理テーブルは、ユーザー毎のプロフィール情報および健康情報を記憶するためのテーブルである。
【００８７】
図４は、健康情報管理テーブルの一例を模式的に示す図である。図４が示す健康情報管理テーブルは、健康情報が記憶されていない初期状態の健康情報管理テーブルである。
【００８８】
図４を参照して、健康情報管理テーブルは、ユーザー領域６１１，６１２，６１３，６１４を有する。ユーザー領域６１１，６１２，６１３，６１４の各々は、健康情報管理テーブルの行方向の領域である。ユーザー領域６１１〜６１４は、ユーザー毎のプロフィール情報群を記憶するための領域である。
【００８９】
以下においては、ユーザー領域６１１，６１２，６１３，６１４の各々を、総括的に、ユーザー領域ともいう。すなわち、健康情報管理テーブルは、４つのユーザー領域を有している。つまり、健康情報管理テーブルを記憶している健康情報記憶部１２８を有するテレビジョン受信機１００は、４つのユーザー領域を有している。
【００９０】
なお、健康情報管理テーブルが有するユーザー領域の数は、４に限定されない。健康情報管理テーブルが有するユーザー領域の数は、２，３または５以上であってもよい。
【００９１】
各ユーザー領域は、領域６０１，６０２，６０３，６０４，６０５，６０６，６０７，６０８を有する。領域６０１〜６０８の各々は、ユーザーのプロフィール情報を記憶するための領域である。
【００９２】
領域６０１は、予め設定されたユーザー識別名を記憶するための領域である。ユーザー識別名とは、ユーザーを識別する名称である。なお、健康情報管理テーブルが有する各ユーザー領域には、異なるユーザー識別名が予め設定される。
【００９３】
領域６０２は、当該領域６０２に対応するユーザー領域が使用中であるか否かを示す状態の情報を記憶するための領域である。領域６０２の状態が「未使用」である場合、領域６０２に対応するユーザー領域が使用されていないことが示される。領域６０２の状態が「使用中」である場合、領域６０２に対応するユーザー領域が使用されていることが示される。なお、初期状態の健康情報管理テーブルにおける全ての領域６０２は、状態が「未使用」を示す。
【００９４】
領域６０３は、ユーザーの名前を記憶するための領域である。領域６０４は、ユーザーの年齢を記憶するための領域である。領域６０５は、ユーザーの身長を記憶するための領域である。領域６０６は、ユーザーの性別を記憶するための領域である。
【００９５】
また、領域６０７，６０８は、健康機器１３０，１３１等により測定された健康情報を記憶するための領域である。具体的には、領域６０７は、活動量計である健康機器１３０により測定された、健康情報である歩数を記憶するための領域である。領域６０８は、体組成計である健康機器１３１により測定された、健康情報である体重を記憶するための領域である。以下においては、領域６０７，６０８の各々を、健康情報領域ともいう。
【００９６】
図５は、ユーザー識別処理のフローチャートを示す。前述したように、ユーザー識別処理は、主に、ユーザー識別部１４３により行われる。
【００９７】
以下においては、健康機器１３０が、健康情報（例えば、歩数）およびプロフィール情報群Ｐ１を、テレビジョン受信機１００へ送信する状況を、通信状況Ａともいう。また、以下においては、健康機器１３１が、無線通信を行って、健康情報（例えば、体重）およびプロフィール情報群Ｐ２を、無線インターフェイス１２７へ送信する状況を、通信状況Ｂともいう。
【００９８】
ユーザー識別処理の各ステップの具体的な処理は後述する。以下、ユーザー識別処理の各ステップについて簡単に説明する。
【００９９】
ステップＳ４０１では、テレビジョン受信機１００が、健康情報およびプロフィール情報群Ｐを受信する。例えば、通信状況Ａでは、有線インターフェイス１２６が、健康機器１３０から、健康情報およびプロフィール情報群Ｐ１を受信する。これにより、ユーザー識別部１４３は、有線インターフェイス１２６を介して、健康情報およびプロフィール情報群Ｐ１を受信する。
【０１００】
なお、通信状況Ｂでは、無線インターフェイス１２７が、健康機器１３１から、健康情報およびプロフィール情報群Ｐ２を受信する。これにより、ユーザー識別部１４３は、無線インターフェイス１２７を介して、健康情報およびプロフィール情報群Ｐ２を受信する。
【０１０１】
前述したように、プロフィール情報群Ｐ１およびプロフィール情報群Ｐ２の各々を、総括的に、プロフィール情報群Ｐともいう。
【０１０２】
ステップＳ４０３では、ユーザー識別部１４３が、受信したプロフィール情報群Ｐに「名前」が含まれるか否かを判定する。ステップＳ４０３においてＹＥＳならば、処理はステップＳ４０４に移行する。一方、ステップＳ４０３においてＮＯならば、処理はステップＳ４０９へ移行する。
【０１０３】
ステップＳ４０４では、ユーザー識別部１４３が、プロフィール情報群Ｐに含まれる「名前」が、健康情報記憶部１２８に記憶されている健康情報管理テーブルに記憶済みであるか否かが判定される。ステップＳ４０４においてＹＥＳならば処理はステップＳ４０５へ移行する。一方、ステップＳ４０４においてＮＯならば、処理はステップＳ４０９へ移行する。
【０１０４】
ステップＳ４０５では、ユーザー識別部１４３が、健康情報管理テーブルの各領域６０３において、「名前」の重複がないか否かを判定する。ステップＳ４０５においてＹＥＳならば、処理はステップＳ４０６へ移行する。一方、ステップＳ４０５においてＮＯならば、処理はステップＳ４０９へ移行する。
【０１０５】
ステップＳ４０６では、ユーザー識別部１４３が、健康情報管理テーブルにおいて、受信したプロフィール情報（例えば、「名前」）に対応するユーザー識別名を示すユーザー領域に含まれる健康情報領域に、受信した健康情報を追記する。また、ユーザー識別部１４３は、受信したプロフィール情報群Ｐに含まれる各プロフィール情報のうち、健康情報管理テーブルに記憶されていないプロフィール情報を、対応する領域に記憶させる。
【０１０６】
ここで、ステップＳ４０５でＹＥＳと判定された場合、ステップＳ４０６では、ユーザー識別部１４３が、健康情報管理テーブルにおいて、受信した「名前」に対応するユーザー識別名を示すユーザー領域に含まれる健康情報領域に、受信した健康情報を追記する。その後、このユーザー識別処理は終了する。以上の処理により、既に登録済みのユーザーを「名前」で識別し、健康情報を更新することができる。
【０１０７】
なお、ステップＳ４０６では、必要に応じて、情報を健康情報管理テーブルに記憶させる前に、ユーザーの識別が行われる。ユーザーの識別のための処理の詳細については後述する。
【０１０８】
一方、ステップＳ４０３，Ｓ４０４，Ｓ４０５のいずれかでＮＯの場合、ステップＳ４０９の処理が行われる。
【０１０９】
ステップＳ４０９では、ユーザー識別部１４３が、受信したプロフィール情報群Ｐに「年齢」が含まれるか否かを判定する。ステップＳ４０９においてＹＥＳならば、処理はステップＳ４１０に移行する。一方、ステップＳ４０９においてＮＯならば、処理はステップＳ４１３へ移行する。
【０１１０】
ステップＳ４１０では、ユーザー識別部１４３が、プロフィール情報群Ｐに含まれる「年齢」が、健康情報管理テーブルに記憶済みであるか否かが判定される。ステップＳ４１０においてＹＥＳならば処理はステップＳ４１１へ移行する。一方、ステップＳ４１０においてＮＯならば、処理はステップＳ４１３へ移行する。
【０１１１】
ステップＳ４１１では、ユーザー識別部１４３が、健康情報管理テーブルの各領域６０４において、「年齢」の重複がないか否かを判定する。ステップＳ４１１においてＹＥＳならば、処理はステップＳ４０６へ移行する。一方、ステップＳ４１１においてＮＯならば、処理はステップＳ４１３へ移行する。
【０１１２】
ステップＳ４１１でＹＥＳと判定された場合、ステップＳ４０６において、ユーザー識別部１４３が、健康情報管理テーブルにおいて、受信した「年齢」に対応するユーザー識別名を示すユーザー領域に含まれる健康情報領域に、受信した健康情報を追記する。その後、このユーザー識別処理は終了する。以上の処理により、既に登録済みのユーザーを「年齢」で識別し、健康情報を更新することができる。
【０１１３】
一方、ステップＳ４０９，Ｓ４１０，Ｓ４１１のいずれかでＮＯの場合、ステップＳ４１３の処理が行われる。
【０１１４】
ステップＳ４１３では、ユーザー識別部１４３が、受信したプロフィール情報群Ｐに「身長」が含まれるか否かを判定する。ステップＳ４１３においてＹＥＳならば、処理はステップＳ４１４に移行する。一方、ステップＳ４１３においてＮＯならば、処理はステップＳ４１７へ移行する。
【０１１５】
ステップＳ４１４では、ユーザー識別部１４３が、プロフィール情報群Ｐに含まれる「身長」が、健康情報管理テーブルに記憶済みであるか否かが判定される。ステップＳ４１４においてＹＥＳならば処理はステップＳ４１５へ移行する。一方、ステップＳ４１４においてＮＯならば、処理はステップＳ４１７へ移行する。
【０１１６】
ステップＳ４１５では、ユーザー識別部１４３が、健康情報管理テーブルの各領域６０５において、「身長」の重複がないか否かを判定する。ステップＳ４１５においてＹＥＳならば、処理はステップＳ４０６へ移行する。一方、ステップＳ４１５においてＮＯならば、処理はステップＳ４１７へ移行する。
【０１１７】
ステップＳ４１５でＹＥＳと判定された場合、ステップＳ４０６において、ユーザー識別部１４３が、健康情報管理テーブルにおいて、受信した「身長」に対応するユーザー識別名を示すユーザー領域に含まれる健康情報領域に、受信した健康情報を追記する。その後、このユーザー識別処理は終了する。以上の処理により、既に登録済みのユーザーを「身長」で識別し、健康情報を更新することができる。
【０１１８】
一方、ステップＳ４１３，Ｓ４１４，Ｓ４１５のいずれかでＮＯの場合は、新規のユーザーの健康情報を記憶させる場合、および、全く同じプロフィールを有するユーザーが存在する場合のいずれかであると考えられる。
【０１１９】
それらを切り分けるために、ステップＳ４１３，Ｓ４１４，Ｓ４１５のいずれかでＮＯの場合は、ステップＳ４１７の処理が行われる。
【０１２０】
ステップＳ４１７では、ユーザー識別部１４３が、健康情報管理テーブルにおいて、同じ情報の重複がないか否かを判定する。すなわち、ユーザー識別部１４３は、ステップＳ４０５，Ｓ４１１，Ｓ４１５のいずれかでＮＯであったか否かを判定する。
【０１２１】
ステップＳ４１７においてＹＥＳならば処理はステップＳ４１８へ移行する。一方、ステップＳ４１７においてＮＯならば処理はステップＳ４１９へ移行する。
【０１２２】
ステップＳ４１７でＮＯの場合（健康情報管理テーブルにおいて同じ情報の重複がない場合）、新しいプロフィールを有する新規のユーザーの健康情報を記憶させる状況であると考えられる。
【０１２３】
そのため、ステップＳ４１８では、ユーザー識別部１４３が、健康情報記憶部１２８に、新しくユーザー領域を確保して、当該ユーザー領域に、受信した健康情報を記憶させる。具体的には、ユーザー識別部１４３が、健康情報管理テーブルの複数のユーザー領域のうち、使用されていないユーザー領域に含まれる健康情報領域に、受信した健康情報を追記する。また、ユーザー識別部１４３は、受信したプロフィール情報群Ｐに含まれる各プロフィール情報を、当該使用されていないユーザー領域における、対応する領域に記憶させる。その後、このユーザー識別処理は終了する。
【０１２４】
ステップＳ４１７でＮＯと判定された場合、すなわち、健康情報管理テーブルにおいて同じ情報が重複している場合は、全く同じプロフィールを有するユーザーが存在すると考えられる。
【０１２５】
そのため、ステップＳ４１９では、手動によるユーザーの識別が行われる。具体的には、例えば、表示部１１４が、新規のユーザーおよび既存のユーザーのいずれかを選択するためのメニュー画像Ａを表示する。ユーザーは、メニュー画像Ａを参照しながら、操作指示送信部２００を使用して、新規のユーザーおよび既存のユーザーのいずれかを選択する。
【０１２６】
ステップＳ４２０では、ユーザー識別部１４３が、新規のユーザーが選択されたか否かを判定する。ステップＳ４２０においてＹＥＳならば処理はステップＳ４１８へ移行する。一方、ステップＳ４２０でＮＯと判定された場合，すなわち、既存のユーザーが選択された場合、処理はステップＳ４０６へ移行する。
【０１２７】
ステップＳ４２０でＮＯと判定された場合、すなわち、既存のユーザーが選択された場合、ステップＳ４０６において、ユーザー識別部１４３が、健康情報管理テーブルにおいて、受信した健康情報に対応するユーザー識別名を示すユーザー領域に含まれる健康情報領域に、当該健康情報を追記する。その後、このユーザー識別処理は終了する。
【０１２８】
ステップＳ４２０でＹＥＳと判定された場合、すなわち、新規のユーザーが選択された場合、ステップＳ４１８において、前述した処理（新規のユーザー領域を作成する処理）が行われる。すなわち、ユーザー識別部１４３が、健康情報記憶部１２８に、新しくユーザー領域を確保して、当該ユーザー領域に、受信した健康情報を記憶させる。その後、このユーザー識別処理は終了する。なお、プロフィール情報に基づいて、ユーザーを識別する具体的な処理は後述する。
【０１２９】
なお、テレビジョン受信機１００が、無線通信を使用して、各種情報を健康機器１３１へ送信する場合、通信状況によっては、テレビジョン受信機１００は、情報を正確に受信できない場合がある。そこで、図５のユーザー識別処理において、ステップＳ４１７の直前に、ステップＳ４１６を追加する構成（以下、変形構成Ｎともいう）としてもよい。変形構成Ｎのユーザー識別処理では、ステップＳ４２１がさらに追加される。
【０１３０】
変形構成ＮのステップＳ４１６では、ユーザー識別部１４３が、１つ以上の情報を正しく受信できたか否かを判定する。変形構成Ｎでは、ステップＳ４１６でＹＥＳならば処理はステップＳ４１７へ移行し、ステップＳ４１６でＮＯならばステップＳ４２１へ移行する。
【０１３１】
ステップＳ４１６でＮＯの場合、すなわち、情報が１つも取得できていなかった場合は、プロフィール情報の取得に失敗している。そのため、ステップＳ４２１において、テレビジョン受信機１００は、図２の表示部１１４の画面１１４ａに、健康情報の取得に失敗した旨を示すメッセージを表示する。その後、変形構成Ｎのユーザー識別処理は終了する。
【０１３２】
なお、ユーザー識別処理においては、プロフィール情報に基づいて、ユーザーの識別を行うとしたがこれに限定されない。すなわち、本実施の形態で使用するプロフィール情報は、テレビジョン受信機１００がユーザーを識別するために、設定された情報でなくてもよい。
【０１３３】
例えば、測定した歩数を消費カロリーに換算するために、活動量計である健康機器１３０に対し、年齢（あるいは生年月日）、性別、身長、体重などの情報が設定されていることが一般的である。
【０１３４】
また、測定した体内インピーダンスおよび体重などを、体脂肪率、内臓脂肪、筋肉量、骨量などに換算するために、体組成計である健康機器１３１に対し、年齢（あるいは生年月日）、性別、身長、体重などの情報が設定されていることが一般的である。
【０１３５】
さらに、健康機器１３１は、１人のユーザーが１台の使用を前提とした健康機器１３０と異なり、複数のユーザーで共用することが前提である。そのため、健康機器１３１には、さらに、名前（あるいはニックネーム、ユーザー番号等）も設定されている。具体的には、健康機器１３１のメモリ１４１に記憶されているプロフィール情報Ｐ２は、さらに、ユーザーの名前を示す。
【０１３６】
本実施の形態においては、健康機器１３０および健康機器１３１の各々において予め設定されたこれらのプロフィール情報をそのまま使用する。そのため、新たにテレビジョン受信機１００に対して、ユーザーのプロフィールを設定するなどの追加操作は不要である。
【０１３７】
なお、本実施の形態では、プロフィール情報として、ユーザーを正確に特定しやすい順に「名前」、「年齢」、「身長」を用いて、ユーザーを識別するとした。これは、家庭内においてテレビジョン受信機１００が家族間で共有される場合が多いことに配慮したものである。そのため、名前（ニックネーム等も含む）が正しく設定されていれば、家族間で「名前」が重複することは、ほぼ無い。
【０１３８】
しかし、健康機器の種類によっては、名前が設定されないものや、イニシャルのみが設定する場合もある。そのため、少なくとも、健康機器において、年齢（あるいは生年月日）が正しく設定されていれば、ユーザーを正しく識別できる確率が向上する。
【０１３９】
また、本実施の形態においては、プロフィール情報の中で該当する「名前」、「年齢」、「身長」のいずれかひとつが、健康情報記憶部１２８に記憶されている場合に、該当するユーザー領域に情報を追記するものとしたが、これに限定されない。例えば、複数のプロフィール情報が一致した場合に、ユーザー領域に追記する構成としてもよい。また、図５のユーザー識別処理では、性別などもプロフィール情報として使用するようにしてもよい。
【０１４０】
次に、図５、図６および図７を使用して、以下の条件Ａを満たす架空の家庭内において、テレビジョン受信機１００による具体的なユーザーの識別の例を示す。
【０１４１】
条件Ａにおける家族は、３人のユーザーから構成されるとする。当該３人のユーザーは、父親、母親および娘であるとする。また、条件Ａでは、活動量計である３台の健康機器１３０が使用されるとする。以下においては、３台の健康機器１３０を、それぞれ、健康機器１３０Ａ、健康機器１３０Ｂおよび健康機器１３０Ｃと表記する。また、条件Ａでは、父親、母親および娘が、それぞれ、健康機器１３０Ａ、健康機器１３０Ｂおよび健康機器１３０Ｃを使用するとする。
【０１４２】
また、条件Ａでは、父親についての名前、性別、年齢、身長および体重は、それぞれ、「太郎」、「男性」、「４６歳」、「１７０ｃｍ」および「６０ｋｇ」であるとする。また、条件Ａでは、母親についての名前、性別、年齢、身長および体重は、それぞれ、「花子」、「女性」、「４６歳」、「１５５ｃｍ」および「５０ｋｇ」であるとする。また、条件Ａでは、娘についての名前、性別、年齢、身長および体重は、それぞれ、「洋子」、「女性」、「１６歳」、「１５５ｃｍ」および「５０ｋｇ」であるとする。
【０１４３】
なお、条件Ａにおいて健康機器１３０に設定するための、父親、母親および娘の各々の上記体重は、消費カロリー計算などのために、プロフィール情報として登録するための体重である。条件Ａにおける当該体重は、例えば、各人が自身で設定する概略の体重である。父親、母親および娘の各々の実際の体重は、図３（ａ）の健康管理画像Ｇ１１のように、日毎に変化するものとする。
【０１４４】
また、条件Ａでは、健康機器１３０Ａのメモリ１４０に、性別「男性」、年齢「４６歳」、身長「１７０ｃｍ」および体重「６０ｋｇ」を示すプロフィール情報群Ｐ１（以下、プロフィール情報群Ｐ１Ａともいう）が予め記憶されているとする。すなわち、健康機器１３０Ａには、プロフィール情報群Ｐ１Ａが予め設定されているとする。
【０１４５】
また、条件Ａでは、健康機器１３０Ｂのメモリ１４０に、性別「女性」、年齢「４６歳」、身長「１５５ｃｍ」および体重「５０ｋｇ」を示すプロフィール情報群Ｐ１（以下、プロフィール情報群Ｐ１Ｂともいう）が予め記憶されているとする。すなわち、健康機器１３０Ｂには、プロフィール情報群Ｐ１Ｂが予め設定されているとする。
【０１４６】
また、条件Ａでは、健康機器１３０Ｃのメモリ１４０に、性別「女性」、年齢「１６歳」、身長「１５５ｃｍ」および体重「５０ｋｇ」を示すプロフィール情報群Ｐ１（以下、プロフィール情報群Ｐ１Ｃともいう）が予め記憶されているとする。すなわち、健康機器１３０Ｃには、プロフィール情報群Ｐ１Ｃが予め設定されているとする。
【０１４７】
一方、条件Ａでは、父親、母親および娘は、体組成計である１台の健康機器１３１を共用するとする。また、条件Ａでは、健康機器１３１において、父親、母親および娘のユーザー識別名は、それぞれ、ユーザーＡ、ユーザーＢおよびユーザーＣであるとする。また、条件Ａでは、名前「太郎」、「花子」および「洋子」は、それぞれ、ユーザーＡ、ユーザーＢおよびユーザーＣと対応づけられているとする。
【０１４８】
以下においては、父親のプロフィール情報群Ｐ２、母親のプロフィール情報群Ｐ２、および、娘のプロフィール情報群Ｐ２を、それぞれ、プロフィール情報群Ｐ２Ａ、プロフィール情報群Ｐ２Ｂおよびプロフィール情報群Ｐ２Ｃともいう。
【０１４９】
条件Ａでは、健康機器１３１のメモリ１４１に、プロフィール情報群Ｐ２Ａ，Ｐ２Ｂ，Ｐ２Ｃが予め記憶されているとする。すなわち、健康機器１３１には、プロフィール情報群Ｐ２Ａ，Ｐ２Ｂ，Ｐ２Ｃが予め設定されているとする。
【０１５０】
また、条件Ａでは、父親のプロフィール情報群Ｐ２Ａは、ユーザーＡの情報として、名前「太郎」、性別「男性」、年齢「４６歳」および身長「１７０ｃｍ」を含むよう構成されるとする。また、条件Ａでは、母親のプロフィール情報群Ｐ２Ｂは、ユーザーＢの情報として、名前「花子」、性別「女性」、年齢「４６歳」および身長「１５５ｃｍ」を含むよう構成されるとする。また、条件Ａでは、娘のプロフィール情報群Ｐ２Ｃは、ユーザーＣの情報として、性別「女性」、年齢「１６歳」および身長「１５５ｃｍ」を含むよう構成されるとする。すなわち、娘のプロフィール情報群Ｐ２Ｃに対し、名前は未設定であるとする。
【０１５１】
図６は、３人のユーザーから構成される家族において、テレビジョン受信機１００で健康情報を管理する構成を説明するための図である。具体的には、図６は、前述の条件Ａに従って、健康機器１３０Ａ，１３０Ｂ，１３０Ｃおよび健康機器１３１を使用して健康情報が測定され、当該健康情報を、テレビジョン受信機１００により管理する構成を説明するための図である。
【０１５２】
前述の条件Ａにおいても、３人のユーザーは、それぞれ、健康機器１３０Ａ，１３０Ｂ，１３０Ｃを使用して、歩数の測定、消費カロリーの算出を行うことは可能である。また、３人のユーザーは、健康機器１３１を使用して、体重の測定、体脂肪率などの算出を行うことも可能である。
【０１５３】
しかしながら、さらに、テレビジョン受信機１００を使用して、健康情報を記録して管理するためには、健康機器１３０Ａ，１３０Ｂ，１３０Ｃと、健康機器１３１に設定されているユーザーＡ，Ｂ，Ｃを何らかの方法で関連付ける必要がある。
【０１５４】
次に、上記の条件Ａに従って、図５のユーザー識別処理により行われる処理について具体的に説明する。なお、健康情報管理テーブルの状態は、図４のように、健康情報が記憶されていない初期状態であるとする。図７は、ユーザー識別処理により変化した健康情報管理テーブルの状態を示す図である。
【０１５５】
まず、最初に、父親が健康機器１３０Ａにより測定した歩数を、テレビジョン受信機１００に記憶させる場合を考える。ここで、健康機器１３０Ａが父親の歩数を測定し、健康機器１３０Ａが、当該歩数およびプロフィール情報群Ｐ１Ａを、テレビジョン受信機１００へ送信したとする。
【０１５６】
この場合、図５のユーザー識別処理では、プロフィール情報群Ｐ１Ａに「名前」が含まれないため（Ｓ４０３でＮＯ）、処理はステップＳ４０９に移行し、ステップＳ４０９でＹＥＳと判定され、処理はステップＳ４１０へ移行する。
【０１５７】
このとき、健康情報管理テーブルに「年齢」が記憶されていないので、ステップＳ４１０でＮＯと判定され、処理はステップＳ４１３へ移行する。このとき、プロフィール情報群Ｐ１Ａは、身長「１７０ｃｍ」を含むため、ステップＳ４１３でＹＥＳと判定され、処理はステップＳ４１４へ移行する。このとき、健康情報管理テーブルに「身長」が記憶されていないので、ステップＳ４１４でＮＯと判定され、処理はステップＳ４１７へ移行し、ステップＳ４１７でＹＥＳと判定され、処理はステップＳ４１８へ移行する。
【０１５８】
結局、テレビジョン受信機１００が、健康機器１３０Ａから受信したプロフィール情報群Ｐ１Ａには、「年齢」および「身長」は含まれるが、この段階では、「身長」が、健康情報管理テーブルに記憶されていないので、以下のステップＳ４１８の処理が行われる。
【０１５９】
ステップＳ４１８では、ユーザー識別部１４３が、健康情報記憶部１２８に、新しくユーザー領域６１１を確保する。そして、ユーザー識別部１４３は、ユーザー領域６１１に、プロフィール情報群Ｐ１Ａが示す各プロフィール情報を記憶させる。
【０１６０】
具体的には、ユーザー識別部１４３は、ユーザー領域６１１の領域６０４、領域６０５および領域６０６に、それぞれ、年齢「４６歳」、身長「１７０ｃｍ」および性別「男性」を記憶させる。また、ユーザー識別部１４３は、受信した健康情報としての歩数を、健康情報領域である領域６０７に記憶させる。また、ユーザー識別部１４３は、ユーザー領域６１１の領域６０２の状態を、「使用中」に設定する。これにより、健康情報管理テーブルの状態は、図７（ａ）の状態となる。
【０１６１】
次に、母親および娘についても、前述の父親と同様な処理が行われる。以下、簡単に説明する。まず、母親の歩数を測定した健康機器１３０Ｂが、当該歩数およびプロフィール情報群Ｐ１Ｂを、テレビジョン受信機１００へ送信した場合において、前述の父親の場合と同様に、ユーザー識別処理が行われる。このユーザー識別処理により、ユーザー識別部１４３は、ユーザー領域６１２の領域６０４、領域６０５および領域６０６に、それぞれ、年齢「４６歳」、身長「１５５ｃｍ」および性別「女性」を記憶させる。また、ユーザー識別部１４３は、受信した健康情報としての歩数を、健康情報領域である領域６０７に記憶させる。また、ユーザー識別部１４３は、ユーザー領域６１２の領域６０２の状態を、「使用中」に設定する。
【０１６２】
また、娘の歩数を測定した健康機器１３０Ｃが、当該歩数およびプロフィール情報群Ｐ１Ｃを、テレビジョン受信機１００へ送信した場合において、前述の父親の場合と同様に、ユーザー識別処理が行われる。このユーザー識別処理により、ユーザー識別部１４３は、ユーザー領域６１３の領域６０４、領域６０５および領域６０６に、それぞれ、年齢「１６歳」、身長「１５５ｃｍ」および性別「女性」を記憶させる。また、ユーザー識別部１４３は、受信した健康情報としての歩数を、健康情報領域である領域６０７に記憶させる。また、ユーザー識別部１４３は、ユーザー領域６１３の領域６０２の状態を、「使用中」に設定する。これにより、健康情報管理テーブルの状態は、図７（ｂ）の状態となる。
【０１６３】
次に、父親が、健康機器１３１により測定した体重を、テレビジョン受信機１００に記憶させる場合を考える。ここで、健康機器１３１が父親の体重を測定し、健康機器１３１が、当該体重およびプロフィール情報群Ｐ２Ａを、テレビジョン受信機１００へ送信したとする。なお、このとき測定された体重は、５９（ｋｇ）であるとする。
【０１６４】
この場合、図５のユーザー識別処理では、プロフィール情報群Ｐ２Ａに名前「太郎」が含まれているため（Ｓ４０３でＹＥＳ）、処理はステップＳ４０４に移行する。このとき、健康情報管理テーブルに「名前」が記憶されていないので、ステップＳ４０４でＮＯと判定され、処理はステップＳ４０９へ移行する。
【０１６５】
このとき、プロフィール情報群Ｐ２Ａは、年齢「４６歳」を含むため、ステップＳ４０９でＹＥＳと判定され、処理はステップＳ４１０へ移行する。このとき、各ユーザー領域６１１，６１２の各々の領域６０４に、年齢「４６歳」が重複して記憶されている。すなわち、２つの領域６０４に、年齢「４６歳」が重複して記憶されている。そのため、ステップＳ４１１でＮＯと判定され、処理はステップＳ４１３へ移行する。
【０１６６】
このとき、プロフィール情報群Ｐ２Ａは、身長「１７０ｃｍ」を含むため、ステップＳ４１３でＹＥＳと判定され、処理はステップＳ４１４へ移行する。このとき、ユーザー領域６１１の領域６０５に身長「１７０ｃｍ」が記憶されている。すなわち、過去に健康情報管理テーブルに記憶されたプロフィール情報（身長「１７０ｃｍ」）と、健康機器１３１から受信したプロフィール情報群Ｐ２Ａに含まれる身長「１７０ｃｍ」とは同じである。
【０１６７】
ユーザー領域６１１の領域６０５に身長「１７０ｃｍ」が記憶されているため、ステップＳ４１４でＹＥＳと判定され、処理はステップＳ４１５へ移行する。このとき、身長「１７０ｃｍ」は、ユーザー領域６１１の領域６０５のみに記憶されている。そのため、ステップＳ４１５でＹＥＳと判定され、処理はステップＳ４０６へ移行する。
【０１６８】
ステップＳ４０６では、まず、ユーザー識別部１４３は、過去に健康情報管理テーブルに記憶されたプロフィール情報と、受信したプロフィール情報とに基づいて、ユーザー（すなわち、ユーザー識別名）を識別する。具体的には、ユーザー識別部１４３は、識別条件Ｓが満たされるか否かに基づいて、ユーザーを識別する。
【０１６９】
識別条件Ｓは、ユーザー識別部１４３が受信した最新のプロフィール情報が、過去に健康情報管理テーブルに記憶されたプロフィール情報と同じであるという条件である。すなわち、識別条件Ｓは、ユーザー識別部１４３が受信した最新のプロフィール情報と同じプロフィール情報を、健康情報管理テーブルが記憶しているという条件（以下、条件Ａともいう）である。
【０１７０】
また、識別条件Ｓは、条件Ａを満たし、かつ、ユーザー識別部１４３が受信した最新のプロフィール情報と同じプロフィール情報が、健康情報管理テーブルにおいて重複して記憶されていないという条件である。
【０１７１】
例えば、上記のように、ユーザー識別部１４３が、健康機器１３１から受信したプロフィール情報群Ｐ２Ａに含まれる身長「１７０ｃｍ」は、過去に健康情報管理テーブルのユーザー領域６１１の領域６０５に記憶された、身長「１７０ｃｍ」としての１個のプロフィール情報のみと同じである。すなわち、健康情報管理テーブルに記憶されたプロフィール情報と一致し、かつユーザー間で重複していないため、識別条件Ｓは満たされる。
【０１７２】
識別条件Ｓが満たされる場合、ユーザー識別部１４３は、健康機器１３１から受信したプロフィール情報群Ｐ２Ａの各プロフィール情報を有するユーザーが、ユーザー領域６１１の領域６０５に記憶されている身長「１７０ｃｍ」をプロフィール情報として有するユーザーと同じであると判定する。すなわち、ユーザー識別部１４３は、ユーザーを識別する。
【０１７３】
そして、ユーザー識別部１４３が、健康情報管理テーブルにおいて、識別したユーザーを特定するユーザー識別名を示すユーザー領域６１１の領域６０３に、受信した「名前」を追記する。また、ユーザー識別部１４３は、受信した健康情報としての体重（５９ｋｇ）を、健康情報領域である領域６０８に記憶させる。これにより、健康情報管理テーブルの状態は、図７（ｃ）の状態となる。
【０１７４】
次に、母親および娘についても、前述の父親と同様な処理が行われる。以下、簡単に説明する。まず、母親の体重を測定した健康機器１３１が、当該体重およびプロフィール情報群Ｐ２Ｂを、テレビジョン受信機１００へ送信した場合において、前述の父親の場合と同様に、ユーザー識別処理が行われる。このユーザー識別処理により、ユーザー識別部１４３は、ユーザー領域６１２の領域６０３に、受信した名前「花子」を追記する。また、ユーザー識別部１４３は、受信した健康情報としての体重を、健康情報領域である領域６０８に記憶させる。
【０１７５】
ここで、父親と母親は、年齢は「４６歳」と同じであるが、身長が異なる。そのため、ユーザー識別部１４３は、父親と母親とを識別することができる。具体的には、ユーザー識別部１４３が受信した最新のプロフィール情報群Ｐ２Ｂに含まれる年齢「４６歳」は、過去に健康情報管理テーブルに記憶された２つの年齢「４６歳」と同じである。
【０１７６】
この場合、ユーザー識別部１４３は、プロフィール情報群Ｐ２Ｂに対応するユーザーは、当該２つの年齢「４６歳」を示すユーザー領域６１１，６１２のいずれかのユーザーであると判定する。
【０１７７】
ユーザー領域６１１，６１２のうち、受信した最新のプロフィール情報群Ｐ２Ｂに含まれる身長「１５５ｃｍ」はユーザー領域６１２のみに記憶されている。そのため、ユーザー識別部１４３は、受信した最新のプロフィール情報群Ｐ２Ｂに対応するユーザーは、母親であることを識別できる。
【０１７８】
なお、プロフィール情報群Ｐ２Ｂは、複数のプロフィール情報を含む。すなわち、無線インターフェイス１２７は、健康機器１３１から複数のプロフィール情報を受信する受信部である。
【０１７９】
年齢、身長は、前述したように、身体情報である。すなわち、複数のプロフィール情報のうちの２つのプロフィール情報は、それぞれ、ユーザーの年齢および身長である。また、家族を構成する各ユーザーにおいて、年齢は、ユーザーを識別するために身長よりも有用な情報である。そのため、ユーザー識別処理では、ユーザー識別部１４３は、年齢および身長の順で、年齢および身長を使用して、ユーザーを識別する。すなわち、ユーザー識別処理では、ユーザー識別部１４３は、年齢および身長の順で情報を使用して、ユーザーを識別する。
【０１８０】
なお、ユーザー識別処理において年齢および身長を使用する順は、上記に限定されない。例えば、ユーザー識別処理では、ユーザー識別部１４３は、身長および年齢の順で、身長および年齢を使用して、ユーザーを識別する構成としてもよい。すなわち、ユーザー識別処理では、ユーザー識別部１４３は、身長および年齢の順で情報を使用して、ユーザーを識別する構成としてもよい。この構成では、家族を構成する各ユーザーにおいて、身長は、ユーザーを識別するために年齢よりも有用な情報である。
【０１８１】
なお、どの情報を有用とするかは、テレビジョン受信機１００を使用する環境によっても異なるが、一般的にはより重複や変化が少ない情報が、有用であると考えられる。例えば「名前」、「年齢（生年月日）」などは、家族間であれば重複する可能性は低い。
【０１８２】
また、娘の体重を測定した健康機器１３１が、当該体重およびプロフィール情報群Ｐ２Ｃを、テレビジョン受信機１００へ送信した場合において、前述の父親の場合と同様に、ユーザー識別処理が行われる。なお、プロフィール情報群Ｐ２Ｃには、娘の名前は含まれないため、ユーザー領域６１３の領域６０３には名前は記憶されない。また、ユーザー識別部１４３は、受信した健康情報としての体重を、健康情報領域である領域６０８に記憶させる。これにより、健康情報管理テーブルの状態は、図７（ｄ）の状態となる。
【０１８３】
また、母親と娘は、身長は「１５５ｃｍ」と同じであるが、年齢が異なる。そのため、ユーザー識別部１４３は、前述の父親と母親の識別と同様に、母親と娘とを識別することができる。
【０１８４】
以上のように、テレビジョン受信機１００の受信部である有線インターフェイス１２６または無線インターフェイス１２７は、各健康機器から、当該健康機器が有するプロフィール情報を受信する。当該各健康機器は、健康機器１３０，１３１である。そして、ユーザー識別部１４３は、各健康機器毎に、当該健康機器から受信したプロフィール情報に基づいて、ユーザーを識別する。すなわち、本実施の形態では、異なる健康機器１３０，１３１間において、ユーザーが紐付けされている。
【０１８５】
以上説明したように、本実施の形態では、受信部である有線インターフェイス１２６または無線インターフェイス１２７は、健康機器から、健康情報およびプロフィール情報を受信する。ユーザー識別部１４３は、当該プロフィール情報に基づいて、ユーザーを識別する。すなわち、本実施の形態では、ユーザーの識別のための特別な構成を、従来のように別途設けることなく、健康機器から受信したプロフィール情報に基づいて、ユーザーを識別する。これにより、コストを抑制しつつユーザーを識別することができる。
【０１８６】
なお、活動量計である健康機器１３０に設定されたプロフィール情報は、本来は、ユーザーの消費カロリーを算出するために使用される。本実施の形態では、本来の使用目的に加え、当該プロフィール情報を、ユーザーの識別に使用する。これにより、ユーザーの識別のための情報を、別途、健康機器に設定しなくてもよい。
【０１８７】
また、本実施の形態によれば、テレビジョン受信機１００は、健康機器１３０，１３１等から出力される健康情報を受信した場合、予め各健康機器に設定されたユーザーのプロフィール情報に基づき、ユーザーを識別して、ユーザー毎に、健康情報を健康情報記憶部１２８に記憶させ、管理する。これにより、本実施の形態では、従来のように、ユーザーが、ユーザーＩＤを指定するなどの追加操作が不要である。また、本実施の形態では、ユーザーを識別するための装置を別途必要とせず、安価に使い勝手を向上させることができる。
【０１８８】
また、本実施の形態によれば、テレビジョン受信機１００で健康管理画像Ｇ１１を表示する際に、健康機器１３０または健康機器１３１から取得したプロフィール情報群Ｐを同時に表示部１１４が表示することで、よりユーザーにわかりやすく健康情報を提示することができる。例えば、図３（ａ）または図３（ｂ）において、「名前」情報を同時に表示すれば、どのユーザーの健康情報であるかを一見して判別することができる。
【０１８９】
また、本実施の形態のユーザー識別処理によれば、テレビジョン受信機１００は、健康機器１３０，１３１等に予め設定されたユーザーのプロフィール情報を使用してユーザーを識別する際に、「名前」、「年齢」および「身長」の順で、「名前」、「年齢」および「身長」を使用して、ユーザーを識別する。これにより、家族間において、重複する可能性が低くなるため、ユーザーを正確に識別する確率を向上させることができる。そのため、テレビジョン受信機１００の使い勝手を向上させることができる。
【０１９０】
なお、前述の関連技術Ａでは、健康機器とは別に、通信カードおよび当該通信カードの読み取り装置等が別途必要となる。そのため、機器が増えるので、当該機器の取り扱いが煩雑になるという問題がある。
【０１９１】
一方、本実施の形態に係るテレビジョン受信機１００は、上記のように構成されるため、関連技術Ａの上記問題を解決することができる。
【０１９２】
なお、上記のユーザー識別処理では、ユーザーの識別のために、「名前」、「年齢」および「身長」という３つのプロフィール情報を使用したが、使用されるプロフィール情報の数は、３に限定されず、２または４以上とする構成（以下、変形構成Ａという）としてもよい。変形構成Ａのユーザー識別処理では、例えば、「名前」、「年齢」、「身長」および「性別」の順で、「名前」、「年齢」、「身長」および「性別」を使用して、ユーザーを識別する。
【０１９３】
また、変形構成Ａにおいて、プロフィール情報として、「年齢」の代わりにユーザーの「生年月日（誕生日）」を使用する構成（以下、変形構成Ｂという）としてもよい。
【０１９４】
具体的には、変形構成Ｂでは、ユーザー識別部１４３は、現在の日付を特定する機能（カレンダー機能）を有する。そして、変形構成Ｂのユーザー識別処理において、まず、ユーザー識別部１４３は、特定された現在の日付と、ユーザーの生年月日から、当該ユーザーのプロフィール情報として、当該ユーザーの年齢を算出する。すなわち、変形構成Ｂのユーザー識別処理において、カレンダー機能を利用して、生年月日が年齢に変換される。
【０１９５】
そして、ユーザー識別部１４３は、前述した図５のユーザー識別処理と同様に、「名前」、「身長」および「性別」と、算出された年齢とを、ユーザーを識別するための情報として使用して、ユーザーを識別する。すなわち、ユーザー識別部１４３は、算出された年齢に基づいて、ユーザーを識別する。
【０１９６】
また、変形構成Ｂのユーザー識別処理では、例えば、「名前」、「生年月日」、「身長」および「性別」の順で、「名前」、「生年月日」、「身長」および「性別」を使用して、ユーザーを識別する構成としてもよい。
【０１９７】
また、本実施の形態においては、「名前」、「年齢」、「身長」および「性別」などのプロフィール情報のみを用いて、ユーザーを識別する構成としたがこれに限定されない。例えば、健康機器固有の番号、ユーザー番号等も、ユーザーの識別に使用する構成（以下、変形構成Ｃともいう）としてもよい。
【０１９８】
変形構成Ｃでは、図４の健康情報管理テーブルの各ユーザー領域に、さらに、機器識別情報を記憶させるための領域（以下、機器識別領域ともいう）を設ける。機器識別情報とは、健康機器を特定するための情報である。機器識別情報は、例えば、前述の健康機器固有の番号である。以下においては、各ユーザー領域に、さらに、機器識別領域を設けた健康情報管理テーブルを、健康情報管理テーブルＡともいう。
【０１９９】
また、変形構成Ｃでは、前述の条件Ａにおいて、健康情報を測定した健康機器が、当該健康情報、プロフィール情報群Ｐおよび機器識別情報を、テレビジョン受信機１００へ送信する。この場合、変形構成Ｃのユーザー識別処理のステップＳ４０１では、テレビジョン受信機１００が、健康情報、プロフィール情報群Ｐおよび機器識別情報を受信する。具体的には、受信部である有線インターフェイス１２６または無線インターフェイス１２７が、健康情報、プロフィール情報群Ｐおよび機器識別情報を受信する。
【０２００】
ここで、前述した条件Ａにおいて、一例として、父親の歩数を測定した健康機器１３０Ａが、当該歩数およびプロフィール情報群Ｐ１Ａと、健康機器１３０Ａの機器識別情報とを、テレビジョン受信機１００へ送信したとする。健康機器１３１の機器識別情報は、一例として、「ＴＪ１」であるとする。この場合、変形構成Ｃのユーザー識別処理のステップＳ４０１では、健康情報、プロフィール情報群Ｐ１Ａおよび機器識別情報が受信される。
【０２０１】
また、変形構成Ｃのユーザー識別処理のステップＳ４１８では、プロフィール情報群Ｐ１Ａに含まれる各プロフィール情報を記憶させる処理と、健康情報（歩数）を記憶させる処理とに加え、以下の処理Ａを行う。処理Ａでは、ユーザー識別部１４３が、処理対象のユーザー領域の機器識別領域に機器識別情報「ＴＪ１」を記憶させる。
【０２０２】
そして、変形構成Ｃのユーザー識別処理は終了する。これにより、一例として、健康情報管理テーブルＡの状態は、図７（ａ）におけるユーザー領域６１１に、さらに設けられた機器識別領域に、機器識別情報「ＴＪ１」が記憶された状態（以下、テーブル状態Ａ１ともいう）になったとする。
【０２０３】
そして、別の日に、健康情報を測定した健康機器が、当該健康情報、プロフィール情報群Ｐおよび機器識別情報を、テレビジョン受信機１００へ送信したとする。一例として、父親の歩数を測定した健康機器１３０Ａが、当該歩数およびプロフィール情報群Ｐ１Ａと、健康機器１３０Ａの機器識別情報とを、テレビジョン受信機１００へ送信したとする。
【０２０４】
この場合、変形構成Ｃのユーザー識別処理のステップＳ４０１では、前述のように、健康情報、プロフィール情報群Ｐ１Ａおよび機器識別情報が受信される。そして、前述と同様に、ユーザー識別処理における各処理が行われた後、変形構成Ｃのユーザー識別処理のステップＳ４０６において、ユーザー識別部１４３は、プロフィール情報および機器識別情報に基づいて、ユーザーを識別する。
【０２０５】
少し具体的には、ユーザー識別部１４３は、過去に健康情報管理テーブルＡに記憶されたプロフィール情報および機器識別情報と、受信したプロフィール情報および機器識別情報とに基づいて、ユーザーを識別する。
【０２０６】
具体的には、ユーザー識別部１４３は、まず、受信した機器識別情報「ＴＪ１」が記憶されているユーザー領域６１１を特定する。ユーザー識別部１４３が受信したプロフィール情報群Ｐ１Ａに含まれる身長「１７０ｃｍ」は、過去に健康情報管理テーブルＡのユーザー領域６１１の領域６０５に記憶された身長「１７０ｃｍ」のみと同じである。また、前述の識別条件Ｓも満たされる。
【０２０７】
この場合、ユーザー識別部１４３は、健康機器１３１から受信したプロフィール情報群Ｐ２Ａの各プロフィール情報を有するユーザーが、ユーザー領域６１１の領域６０５に記憶されている身長「１７０ｃｍ」をプロフィール情報として有するユーザーと同じであると判定する。すなわち、ユーザー識別部１４３は、プロフィール情報および機器識別情報とに基づいて、ユーザーを識別する。
【０２０８】
以上のように、変形構成Ｃでは、ユーザーが、例えば、使用する健康機器１３０を交換したり、健康機器１３１のプロフィール情報の設定を変更したりしない限り、正確に、ユーザーの識別を行うことができる。
【０２０９】
また、ステップＳ４０６では、ユーザーの識別の後、プロフィール情報群Ｐ１Ａに含まれる各プロフィール情報のうち、健康情報管理テーブルＡに記憶されていないプロフィール情報がある場合、当該プロフィール情報を健康情報管理テーブルＡに記憶させる処理が行われる。
【０２１０】
なお、ユーザー識別部１４３は、マイコン１２０によって実行されるソフトウェアで構成されるとしたがこれに限定されず、ユーザー識別部１４３は、ハードウエアで実現されてもよい。また、健康情報記憶部１２８は、ＲＯＭ１２１の一部として構成してもよい。
【０２１１】
（その他の変形例）
以上、本発明に係るテレビジョン受信機について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０２１２】
また、テレビジョン受信機１００は、図１に示される全ての構成要素を含まなくてもよい。すなわち、テレビジョン受信機１００は、本発明の効果を実現できる最小限の構成要素のみを含めばよい。
【０２１３】
また、本発明は、テレビジョン受信機１００が備える特徴的な構成部の動作をステップとするユーザー識別方法として実現してもよい。また、本発明は、当該ユーザー識別方法に含まれる各ステップをコンピュータが実行してもよい。また、本発明は、そのようなユーザー識別方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２１４】
上記実施の形態で用いた全ての数値は、本発明を具体的に説明するための一例の数値である。すなわち、本発明は、上記実施の形態で用いた各数値に制限されない。
【０２１５】
また、本発明に係るユーザー識別方法は、図５のフローチャートの一部または全てに相当する。本発明に係るユーザー識別方法は、図５における、対応する全てのステップを必ずしも含む必要はない。すなわち、本発明に係るユーザー識別方法は、本発明の効果を実現できる最小限のステップのみを含めばよい。
【０２１６】
また、ユーザー識別方法における各ステップの実行される順序は、本発明を具体的に説明するための一例であり、上記以外の順序であってもよい。また、ユーザー識別方法におけるステップの一部と、他のステップとは、互いに独立して並列に実行されてもよい。なお、本発明は、その発明の範囲内において、実施の形態を適宜、変形、省略することが可能である。
【産業上の利用可能性】
【０２１７】
本発明は、健康管理機能を有するハードディスク内蔵のデジタル放送テレビ受信機などに利用することができる。すなわち、本発明は、外部の健康機器と連携して複数のユーザーの健康情報を記憶し、管理する機器に応用できる。
【符号の説明】
【０２１８】
１００  テレビジョン受信機、１２６  有線インターフェイス、１２７  無線インターフェイス、１２８  健康情報記憶部、１３０，１３０Ａ，１３０Ｂ，１３０Ｃ，１３１  健康機器、１４３  ユーザー識別部。
【図１】
2015012356.tif 000003
【図２】
2015012356.tif 000004
【図３】
2015012356.tif 000005
【図４】
2015012356.tif 000006
【図５】
2015012356.tif 000007
【図６】
2015012356.tif 000008
【図７】
2015012356.tif 000009